(57)【要約】【課題】、貨幣処理装置において、複数の通貨の処理を可能にする。【解決手段】貨幣処理装置１は、投入部（入金部１０３）と、識別部（入金識別部１０８）と、収納部（１１２）と、投出部（入金リジェクト部１０４）と、記憶部（５１）と、第一通貨を処理する第一処理モードと、処理対象の通貨を処理する第二処理モードとを有する制御部（８）と、を備える。制御部は、第一処理モードの時には、識別部が第一通貨であると識別した貨幣を収納部に収納させ、第二処理モードの時には、識別部が処理対象の通貨であると識別した貨幣を投出部に投出させる。【選択図】図５
2019204140.tif 000002
【特許請求の範囲】
【請求項１】
投入された貨幣を繰り出す投入部と、
前記投入部が繰り出した貨幣を識別する識別部と、
前記識別部を通過した貨幣を収納する収納部と、
前記識別部を通過した貨幣を機外に払い出す投出部と、
第一通貨を処理対象にする第一処理モードと、第一通貨以外の通貨を処理対象にする第二処理モードとを有する制御部と、を備え、
前記制御部は、前記第一処理モードの時には、前記識別部が第一通貨であると識別した貨幣を前記収納部に収納させ、
前記制御部は、前記第二処理モードの時には、前記識別部が処理対象の通貨であると識別した貨幣を前記投出部に投出させる貨幣処理装置。
【請求項２】
貨幣の情報を記憶する記憶部を備え、
前記制御部は、前記第一処理モードの時に前記収納部に収納した貨幣について、前記収納部に収納している貨幣として前記記憶部に記憶させ、
前記制御部は、前記第二処理モードの時に前記投出部に払い出した貨幣について、操作者の手許において管理する手許管理貨幣として前記記憶部に記憶させる請求項１に記載の貨幣処理装置。
【請求項３】
前記投出部は、第一投出部と、第二投出部とを含み、
前記識別部から前記第一投出部までの搬送経路は、前記識別部から前記第二投出部までの搬送経路よりも短く、
前記制御部は、前記第二処理モードの時には、前記識別部が処理対象の通貨であると識別した貨幣を前記第一投出部に投出させる請求項１又は２に記載の貨幣処理装置。
【請求項４】
前記投出部は、第一投出部と、第二投出部とを含み、
前記制御部は、前記第一処理モードの時に、前記識別部がリジェクト貨幣であると識別した貨幣を前記第一投出部に投出させ、
前記制御部はまた、前記第二処理モードの時に、前記識別部が処理対象の通貨であると識別した貨幣を前記第一投出部に投出させる請求項１又は２に記載の貨幣処理装置。
【請求項５】
前記制御部は、前記第二処理モードの時に、前記投入部が繰り出した貨幣を全て、前記第一投出部に投出させる請求項３又は４に記載の貨幣処理装置。
【請求項６】
前記投出部は、第一投出部と、第二投出部とを含み、
前記制御部は、前記第二処理モードの時に、前記識別部がリジェクト貨幣であると識別した貨幣を前記第一投出部に投出させると共に、前記識別部が処理対象の通貨であると識別した貨幣を前記第二投出部に投出させる請求項１又は２に記載の貨幣処理装置。
【請求項７】
前記制御部は、前記第二処理モードにおいて、操作者に、処理対象の通貨を選択させる請求項１〜６のいずれか１項に記載の貨幣処理装置。
【請求項８】
前記第一処理モードの処理情報、及び、前記第二処理モードの処理情報を出力する出力部を備えている請求項１〜７のいずれか１項に記載の貨幣処理装置。
【請求項９】
前記出力部は、前記第一処理モードの処理情報と、前記第二処理モードの処理情報とを異なる態様で出力する請求項８に記載の貨幣処理装置。
【発明の詳細な説明】
【技術分野】
【０００１】
ここに開示する技術は、貨幣処理装置に関する。
【背景技術】
【０００２】
特許文献１には、貨幣処理装置が記載されている。この貨幣処理装置は、例えば銀行等の金融機関の営業店舗に設置される。貨幣処理装置は、入金口に投入された貨幣を識別すると共に、識別後の貨幣を収納部に収納する入金処理を行う。貨幣処理装置はまた、小切手等の貨幣以外の有価証券を対象とした処理も可能である。
【０００３】
特許文献２には、紙幣計数装置が記載されている。この紙幣計数装置は、受入部に投入された紙幣を識別及び計数した後、装置の外に集積するよう構成されている。特許文献２の紙幣計数装置は、複数の通貨に対応する識別データを有しており、この紙幣計数装置は、複数の通貨の紙幣を、計数することができる。
【先行技術文献】
【特許文献】
【０００４】
【特許文献１】特開２０１７−８４１８７号公報
【特許文献２】国際公開第２０１４／０１３５８５号
【発明の概要】
【発明が解決しようとする課題】
【０００５】
ところで、特許文献１に記載されている貨幣処理装置は、日本円の貨幣の処理を行うことができるが、日本円以外の外国通貨の貨幣の処理を行うことができない。特許文献１に記載されている貨幣処理装置は、外国通貨の貨幣を、数えることなくリジェクトする。
【０００６】
しかしながら、業務の効率化等の観点から、貨幣処理装置において複数の通貨の処理を可能にして欲しいという要望がある。
【０００７】
特許文献２に記載されている紙幣計数装置は、複数の通貨の紙幣を、計数することができる。しかしながら、当該紙幣計数装置は、計数結果を表示するのみであり、紙幣を管理することはできない。紙幣を管理しようとすると、操作者は、紙幣計数装置に表示された計数結果を、例えばメモに書き写して別途管理を行う等をしなければならない。しかしながらこうした手作業は、面倒である上に、書き写しのミスを招く恐れがある。
【０００８】
ここに開示する技術は、貨幣処理装置において、複数の通貨の処理を可能にする。
【課題を解決するための手段】
【０００９】
ここに開示する技術は、貨幣処理装置に関する。貨幣処理装置は、投入された貨幣を繰り出す投入部と、前記投入部が繰り出した貨幣を識別する識別部と、前記識別部を通過した貨幣を収納する収納部と、前記識別部を通過した貨幣を機外に払い出す投出部と、第一通貨を処理対象にする第一処理モードと、第一通貨以外の通貨を処理対象にする第二処理モードとを有する制御部と、を備える。
【００１０】
前記制御部は、前記第一処理モードの時には、前記識別部が第一通貨であると識別した貨幣を前記収納部に収納させ、前記制御部は、前記第二処理モードの時には、前記識別部が処理対象の通貨であると識別した貨幣を前記投出部に投出させる。
【００１１】
この構成によると、貨幣処理装置は、第一通貨と、第一通貨以外の通貨との複数の通貨を処理することができる。尚、第一通貨以外の通貨は、一つであってもよいし、複数であってもよい。
【００１２】
貨幣処理装置は、第一処理モードの時には、第一通貨であると識別された貨幣を収納部に収納するから、第一通貨を適切に管理することができる。
【００１３】
貨幣処理装置は、第二処理モードの時には、識別部が処理対象の通貨であると識別した貨幣を投出部に投出する。第一通貨以外の貨幣を収納部に収納しないため、収納部に、複数の通貨を混合して収納してしまうことが回避される。貨幣処理装置は、第一通貨以外の通貨を処理するが、収納部に収納されている第一通貨には影響が及ばない。
【００１４】
また、貨幣処理装置は、通貨毎に分けて収納するための多数の収納部を設ける必要がない。貨幣処理装置の構成が複雑になったり、大型化したりすることが回避される。
【００１５】
前記貨幣処理装置は、貨幣の情報を記憶する記憶部を備え、前記制御部は、前記第一処理モードの時に前記収納部に収納した貨幣について、前記収納部に収納している貨幣として前記記憶部に記憶させ、前記制御部は、前記第二処理モードの時に前記投出部に払い出した貨幣について、操作者の手許において管理する手許管理貨幣として前記記憶部に記憶させる、としてもよい。
【００１６】
貨幣処理装置は、第一通貨について、収納部の在高を管理することにより、第一通貨を適切に管理することができる。
【００１７】
一方、第二処理モードにおいて、記憶部が、第一通貨以外の通貨を、貨幣処理装置の機外において保管する手許管理通貨として記憶することにより、貨幣処理装置は、第一通貨以外の通貨も適切に管理することができる。貨幣処理装置が記憶するため、操作者の手作業が不要であり、操作者の負担が軽減すると共に、操作者のミスの発生を抑制することができる。
【００１８】
前記投出部は、第一投出部と、第二投出部とを含み、前記識別部から前記第一投出部までの搬送経路は、前記識別部から前記第二投出部までの搬送経路よりも短く、前記制御部は、前記第二処理モードの時には、前記識別部が処理対象の通貨であると識別した貨幣を前記第一投出部に投出させる、としてもよい。
【００１９】
第二処理モード時には、貨幣を収納部に収納しないため、貨幣の搬送経路をできるだけ短くした方が、貨幣の詰まり等の搬送エラーを抑制する上で有利になる。第二処理モード時に、制御部は、貨幣を第一投出部に投出することにより、当該貨幣の搬送距離が相対的に短いから、搬送エラーを抑制することができる。
【００２０】
前記投出部は、第一投出部と、第二投出部とを含み、前記制御部は、前記第一処理モードの時に、前記識別部がリジェクト貨幣であると識別した貨幣を前記第一投出部に投出させ、前記制御部はまた、前記第二処理モードの時に、前記識別部が処理対象の通貨であると識別した貨幣を前記第一投出部に投出させる、としてもよい。
【００２１】
前記の構成によると、第一投出部は、リジェクト貨幣を投出するリジェクト投出部である。識別部からリジェクト投出部につながる搬送経路は、搬送エラーを抑制する観点から、短くすることが一般的である。第二処理モード時に、識別部が処理対象の通貨であると識別した貨幣を第一投出部に投出させることにより、前記と同様に、搬送エラーを抑制することが期待できる。
【００２２】
前記制御部は、前記第二処理モードの時に、前記投入部が繰り出した貨幣を全て、前記第一投出部に投出させる、としてもよい。
【００２３】
貨幣処理装置は、第二処理モード時に、全ての貨幣を第一投出部に投出することによって、搬送エラーを抑制することが期待できる。また、処理時間を短くすることができる。
【００２４】
前記投出部は、第一投出部と、第二投出部とを含み、前記制御部は、前記第二処理モードの時に、前記識別部がリジェクト貨幣であると識別した貨幣を前記第一投出部に投出させると共に、前記識別部が処理対象の通貨であると識別した貨幣を前記第二投出部に投出させる、としてもよい。
【００２５】
こうすることで、第二処理モードの時に、処理対象の通貨である貨幣と、処理対象外のリジェクト貨幣とを分けることができる。操作者は、リジェクト貨幣のみを投入部に再投入し、再計数することができる。
【００２６】
前記制御部は、前記第二処理モードにおいて、操作者に、処理対象の通貨を選択させる、としてもよい。
【００２７】
貨幣処理装置は、第二処理モードにおいて、第一通貨以外の通貨として、複数の通貨を処理対象にすることができる。操作者は、所望の通貨を処理対象に設定することができる。
【００２８】
前記貨幣処理装置は、前記第一処理モードの処理情報、及び、前記第二処理モードの処理情報を出力する出力部を備えている、としてもよい。
【００２９】
操作者は、出力部が出力した処理情報に基づいて、第一処理モードにおいて行った処理、及び、第二処理モードにおいて行った処理を把握することができる。
【００３０】
前記出力部は、前記第一処理モードの処理情報と、前記第二処理モードの処理情報とを異なる態様で出力する、としてもよい。
【００３１】
こうすることで、操作者は、第一処理モードと第二処理モードとを区別することができる。
【発明の効果】
【００３２】
以上説明したように、前記の貨幣処理装置は、複数の通貨の処理を行うことができる。
【図面の簡単な説明】
【００３３】
【図１】図１は、貨幣処理装置の外観を示す斜視図である。
【図２】図２は、貨幣処理装置の構成を例示するブロック図である。
【図３】図３は、バラ紙幣処理ユニットの内部構成例を模式的に示す図である。
【図４】図４は、バラ硬貨処理ユニットの内部構成例を模式的に示す図である。
【図５】図５は、入金処理時のバラ紙幣の搬送経路の例と、外貨計数処理時のバラ紙幣の搬送経路の例と、を比較する図である。
【図６】図６は、貨幣処理装置のメインメニューの画面を例示する図である。
【図７】図７は、外貨計数処理において、処理対象の通貨を選択する画面を例示する図である。
【図８】図８は、外貨計数処理において、貨幣の投入を指示する画面を例示する図である。
【図９】図９は、外貨計数処理において、計数中及び計数後の画面を例示する図である。
【図１０】図１０は、入金処理において、計数中及び計数後の画面を例示する図である。
【図１１】図１１は、外貨計数処理において、処理終了時の貨幣の抜き取りを指示する画面を例示する図である。
【図１２】図１２は、外貨計数処理において発行されるレシートを例示する図である。
【図１３】図１３は、外貨計数処理時のバラ紙幣の搬送経路の変形例を示す図である。
【図１４】図１４は、外貨計数処理時のバラ硬貨の搬送経路を例示する図である。
【発明を実施するための形態】
【００３４】
以下、貨幣処理装置の実施形態を図面に基づいて詳細に説明する。以下の説明は、貨幣処理装置の一例である。
【００３５】
（貨幣処理装置の全体構成）
図１は、貨幣処理装置１の外観を示している。図２は、貨幣処理装置１の構成を示すブロック図である。貨幣処理装置１は、例えば銀行等の金融機関の営業店舗に設置されかつ、入金処理及び出金処理を含む各種の処理を実行する出納機である。尚、貨幣処理装置１は、金融機関に設置することには限定されない。
【００３６】
貨幣処理装置１は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、及び、貨幣保管ユニット７００、及び、これらの各処理ユニット１００〜７００を統合制御する制御部８を含んで構成されている。
【００３７】
バラ紙幣処理ユニット１００は、入金口に投入されたバラ紙幣を、ユニット内の収納部に収納する入金処理や、収納部に収納しているバラ紙幣を、出金口に払い出す出金処理を行う。バラ紙幣処理ユニット１００の構成は、後述する。
【００３８】
帯封紙幣処理ユニット２００は、所定枚数（例えば１００枚）のバラ紙幣を一つに束ねた帯封紙幣を作成しかつ、帯封紙幣をユニット内に収納すると共に、指定された金種及び束数の帯封紙幣を、ユニット外に出金する処理を行う。
【００３９】
バラ硬貨処理ユニット３００は、入金口に投入されたバラ硬貨を、ユニット内の収納部に収納する入金処理や、収納部に収納しているバラ硬貨を、出金口に払い出す出金処理を行う。バラ硬貨処理ユニット３００の構成は、後述する。
【００４０】
包装硬貨処理ユニット４００は、所定枚数（例えば５０枚）のバラ硬貨を円筒形状に包装した包装硬貨を作成しかつ、包装硬貨をユニット内に収納すると共に、指定された金種及び本数の包装硬貨を、ユニット外に出金する処理を行う。
【００４１】
損貨・記念貨処理ユニット５００は、傷みや汚れがひどいため、バラ硬貨処理ユニット３００で処理することができないバラ硬貨（損貨）、並びに、バラ硬貨処理ユニット３００が処理対象としていない記念硬貨などをユニット内に収納する入金処理を行う。損貨・記念貨処理ユニット５００は、有価媒体処理ユニット６００の上面に配置されている。
【００４２】
有価媒体処理ユニット６００は、傷みや汚れがひどいため、バラ紙幣処理ユニット１００で処理することができないバラ紙幣（損券）、及び、バラ紙幣処理ユニット１００が処理対象としていない小切手等の有価媒体などをユニット内に収納する入金処理を行う。
【００４３】
貨幣保管ユニット７００は、紙幣や硬貨、又は、有価証券類等を保管する収納ドロワを複数備えており、操作者が、収納ドロワを開閉することによって、収納ドロワに紙幣等を収納したり、収納ドロワから紙幣等を取り出したりする。
【００４４】
制御部８は、バラ紙幣処理ユニット１００、帯封紙幣処理ユニット２００、バラ硬貨処理ユニット３００、包装硬貨処理ユニット４００、損貨・記念貨処理ユニット５００、有価媒体処理ユニット６００、貨幣保管ユニット７００を制御することによって、銀行の営業店舗における貨幣の出入の管理を行う。貨幣処理装置１は、当該貨幣処理装置１に収納されている紙幣及び硬貨だけでなく、営業店舗に設けられている金庫に保管している貨幣の在高、及び、担当者が手許で管理をする手許管理の貨幣の在高の管理も行う。
【００４５】
貨幣処理装置１はまた、第一ターミナル部４１、第二ターミナル部４２、プリンタ５０、記憶部５１、及び、通信部５２を備えている。
【００４６】
第一ターミナル部４１は、包装硬貨処理ユニット４００の上面に配置されており、第二ターミナル部４２は、帯封紙幣処理ユニット２００の上面に配置されている。第一ターミナル部４１及び第二ターミナル部４２は同じ構成を有している。第一ターミナル部４１及び第二ターミナル部４２はそれぞれ、例えばタッチパネル式の表示操作部を有し、操作者に向けて情報を表示すると共に、操作者の操作を受け付ける。表示操作部は、表示を行う表示部と、操作者の操作を受け付ける操作部とに分けてもよい。第一ターミナル部４１及び第二ターミナル部４２はまた、操作者の認証を行うために、カード情報を読み取るカードリーダを有している。尚、以下の説明において、第一ターミナル部４１及び第二ターミナル部４２を総称するときには、単にターミナル部４と呼ぶ場合がある。
【００４７】
プリンタ５０は、例えば感熱式プリンタや、インクジェットプリンタによって構成され、取引を行う毎に伝票の印刷をしたり、各種のレシートの印刷を行ったりする。プリンタ５０は、バラ紙幣処理ユニット１００の上面と、バラ硬貨処理ユニット３００の上面とのそれぞれに配置されている。
【００４８】
通信部５２は、通信回線を通じて、貨幣処理装置１と管理コンピュータ５３との間における通信を行う。通信部５２は、制御部８に対して、信号の授受可能に接続されている。管理コンピュータ５３は、貨幣処理装置１の管理を行う。貨幣処理装置１は、取引に関する情報を、管理コンピュータ５３に出力する。
【００４９】
記憶部５１は、例えばハードディスクドライブや、不揮発性メモリによって構成されている。記憶部５１は、貨幣処理装置１において収納している紙幣及び硬貨の在高情報を記憶している。記憶部５１はまた、前述したように、営業店舗に設けられている金庫に保管している貨幣の在高、及び、手許管理の貨幣の在高の情報も記憶している。
【００５０】
記憶部５１はさらに、貨幣の識別に利用する識別テーブルを記憶している。後述するように、貨幣処理装置１は、日本円の貨幣の処理だけでなく、外国通貨の貨幣の処理も可能に構成されている。識別テーブルは、通貨毎に設定される。記憶部５１は、日本円用の識別テーブルの他に、外国通貨用の識別テーブルを記憶している。尚、貨幣処理装置１が処理を行う外国通貨は、一つとは限らない。貨幣処理装置１が処理を行う外国通貨は、後述するように、複数の場合がある。記憶部５１が記憶する通貨毎の識別テーブルは、通信部５２を介して、管理コンピュータ５３から取得及び更新してもよい。
【００５１】
（バラ紙幣処理ユニットの構成）
図３は、バラ紙幣処理ユニット１００の構成例を模式的に示している。バラ紙幣処理ユニット１００は、入金部１０３と、入金リジェクト部１０４と、出金部１０５と、出金リジェクト部１０６と、搬送部１０７と、入金識別部１０８と、出金識別部１０９と、第一反転部１１０と、第二反転部１１１と、四つの収納部１１２と、四つの一時保留部１１３と、二つの集積部１１４と、を備えている。
【００５２】
入金部１０３は、操作者がバラ紙幣を投入する部分である。入金部１０３は、投入部の一例である。入金部１０３は、繰出機構１０３ａを備えている（図２参照）。繰出機構１０３ａは、入金部１０３に投入されたバラ紙幣を一枚ずつ搬送部１０７へ繰り出す。
【００５３】
入金リジェクト部１０４は、主に、入金識別部１０８によってリジェクト紙幣と識別された紙幣を受け取る。但し、後述するように、入金リジェクト部１０４は、リジェクト紙幣以外の紙幣を受け取る場合もある。入金リジェクト部１０４は、後述するように、投出部の一例である。図示は省略するが、入金リジェクト部１０４にはシャッターが設けられている。シャッターは、通常は閉じている。シャッターが開くと、操作者は、入金リジェクト部１０４からバラ紙幣を取り出すことができる。
【００５４】
出金部１０５は、主に、収納部１１２から繰り出された紙幣を受け取る。但し、後述するように、出金部１０５は、入金部１０３から繰り出された紙幣を受け取る場合もある。出金部１０５も、投出部の一例である。操作者は、出金部１０５からバラ紙幣を取り出すことができる。また、出金リジェクト部１０６は、主に、出金識別部１０９によりリジェクト紙幣と識別された紙幣を受け取る。
【００５５】
搬送部１０７は、ベルト機構、ローラー機構等により構成されている。搬送部１０７は、入金部１０３から一時保留部１１３までをつなぐ第一搬送路１１６と、収納部１１２から集積部１１４までをつなぐ第二搬送路１１７と、第一搬送路１１６と第二搬送路１１７とをつなぐ第三搬送路１１８及びバイパス路１１９と、入金リジェクト搬送路１２０と、出金搬送路１２１と、を含んでいる。
【００５６】
第三搬送路１１８は、第二搬送路１１７における第二反転部１１１と集積部１１４との間と、第一搬送路１１６における入金識別部１０８と第一反転部１１０との間とをつないでいる。バイパス路１１９は、第一搬送路１１６の先端から分岐して、第二搬送路１１７における集積部１１４の上流に接続されている。入金リジェクト搬送路１２０は、第一搬送路１１６から分岐して、入金リジェクト部１０４に接続されている。出金搬送路１２１は、第二搬送路１１７から分岐して、出金部１０５に接続されている。出金搬送路１２１はまた、途中で分岐して、出金リジェクト部１０６に接続されている。
【００５７】
搬送部１０７は、紙幣を一枚一枚、間隔を空けて、各搬送路に沿って搬送する。搬送部１０７は、長手の縁を前にして紙幣を搬送する。
【００５８】
入金識別部１０８は、第一搬送路１１６に配設されている。より詳細に、入金識別部１０８は、第一搬送路１１６において、入金部１０３と、第三搬送路１１８の接続位置との間に配設されている。入金識別部１０８は、紙幣の金種、真偽、表裏、向き、正損、新旧、搬送状態等を識別する。入金識別部１０８はまた、日本円以外の外国通貨（紙幣）の識別も行う。
【００５９】
出金識別部１０９は、第二搬送路１１７に配設されている。より詳細に、出金識別部１０９は、第二搬送路１１７において、収納部１１２と、第二反転部１１１との間に配設されている。出金識別部１０９は、紙幣の金種、真偽、表裏、向き、正損、新旧、搬送状態等を識別する。出金識別部１０９も、紙幣の通貨の識別を行う。
【００６０】
第一反転部１１０は、第一搬送路１１６における、第三搬送路１１８の接続箇所よりも下流側に配置されている。第一反転部１１０は、いわゆるスイッチバック方式の反転パスを有しかつ、入金識別部１０８の識別結果に応じて、紙幣の表裏及び天地方向の両方を、選択的に反転する。
【００６１】
第二反転部１１１は、第二搬送路１１７において、出金識別部１０９よりも下流側かつ、第三搬送路１１８の接続箇所よりも上流側に設けられている。第二反転部１１１は、いわゆるスパイラル方式の反転パスを有しかつ、紙幣の、搬送方向に直交する搬送幅方向の向きを、選択的に反転する。このバラ紙幣処理ユニット１００は、第一反転部１１０と第二反転部１１１との二種類の反転部を備えることにより、紙幣の表裏及び天地方向の向きの両方を揃えることができる。
【００６２】
収納部１１２は、入金された紙幣を金種別に収納するために利用される。たとえば、四つの収納部１１２のそれぞれに対し、一万円、千円、５千円、及び、混合の金種が割り当てられている。収納部１１２内には、紙幣が上下に積まれるように収納される。収納部１１２には、その天面に紙幣の入口が形成され、その底面に紙幣の出口が形成される。収納部１１２には、その底面側に繰出機構（図示せず）が設けられ、収納部１１２内の紙幣を第二搬送路１１７に繰り出すことができる。収納部１１２は、先に入れた紙幣を先に出す、いわゆる先入れ先出しに構成されている。
【００６３】
一時保留部１１３は、対応する収納部１１２の上方に配置される。一時保留部１１３は、収納部１１２に収納される紙幣を一時的に保留する。四つの一時保留部１１３には、第一搬送路１１６が分岐して接続されている。
【００６４】
各集積部１１４は、搬送部１０７により搬送された紙幣を、所定の帯封枚数（例えば、１００枚）となるまで集積する。集積部１１４に集積された紙幣は、図示を省略する運搬部が、帯封紙幣処理ユニット２００へ運搬する。
【００６５】
（バラ硬貨処理ユニットの構成）
図４は、バラ硬貨処理ユニット３００の構成例を模式的に示している。バラ硬貨処理ユニット３００は、入金繰出部３０１と、入金識別部３０２と、選別部３０３と、一時保留部３０４と、収納繰出部３０５と、返却箱３０８と、出金箱３０９とを備える。
【００６６】
入金繰出部３０１は、ユニット外から硬貨を受け入れると共に、硬貨を繰り出す。入金繰出部３０１は、詳細な図示は省略するが、投入口から投入される、ばら状態の硬貨を受け入れる供給部と、受け入れた硬貨を１枚ずつ繰り出す回転盤部とを備えている。入金繰出部３０１は、投入部の一例である。
【００６７】
入金識別部３０２は、入金繰出部３０１よりも硬貨の搬送方向の下流に配設されている。入金識別部３０２は、硬貨の金種、真偽、正損等を識別する。入金識別部３０２はまた、日本円以外の外国通貨（硬貨）の識別を行う。
【００６８】
選別部３０３は、入金識別部３０２よりも硬貨の搬送方向の下流に配設されている。選別部３０３は、硬貨の搬送方向の上流側から下流側にかけて、リジェクト選別部、任意選別部、５円選別部、及び、メカ選別部が順に配置されている。詳細な図示は省略するが、リジェクト選別部、任意選別部、及び５円選別部は全て、ソレノイド等の電気的駆動手段により強制的に硬貨を分岐孔に落とし込むよう構成されている。この内、リジェクト選別部は、リジェクト硬貨を選別する機能を有している。任意選別部は、任意の硬貨を選別する機能を有している。５円選別部は、５円硬貨を選別する機能を有している。メカ選別部は、小径硬貨から大径硬貨の順に径選別して該当する分岐孔に落とし込むよう構成されている。メカ選別部は、１円硬貨、５０円硬貨、１００円硬貨、１０円硬貨及び５００円硬貨を選別する。図３における「５」「１」「５０」「１００」「１０」「５００」はそれぞれ、選別する金種を示している。
【００６９】
リジェクト選別部には、リジェクト部３０６が接続されている。リジェクト選別部が選別したリジェクト硬貨は、リジェクト部３０６に送られる。操作者は、リジェクト部３０６に送られた硬貨を、取り出すことができる。リジェクト部３０６は、後述するように、投出部の一例である。
【００７０】
任意選別部には、袋取り口３０７が接続されている。図示は省略するが、袋取り口３０７には袋が装着される。任意硬貨は、袋取り口３０７を通じて袋に収納される。
【００７１】
一時保留部３０４は、選別部３０３において金種別に選別された硬貨を受け入れて、一時的に収納する。一時保留部３０４は、詳細な図示は省略するが、金種別の保留筒と、保留筒の底面を一括して開閉する底部材とを有している。各保留筒は、選別部３０３の、５円選別部及びメカ選別部によって構成される金種別の硬貨選別部分の下方に位置している。
【００７２】
一時保留部３０４は、一時保留した硬貨を収納繰出部３０５に収納するときには、各保留筒が底部材に対して相対移動をすることにより、各保留筒の底面を開放し、保留筒内の硬貨を、収納繰出部３０５に収納する。一時保留部３０４はまた、一時保留した硬貨を返却するときには、底部材が各保留筒に対して相対移動をすることにより、各保留筒の底面を開放し、保留筒内の硬貨を、返却箱３０８に放出する。返却箱３０８は、詳細な図示は省略するが、バラ硬貨処理ユニット３００の前面から着脱可能に構成されている。操作者は、返却箱３０８をバラ硬貨処理ユニット３００から外すことにより、内容物（つまり、返却された硬貨）を取り出し可能である。返却箱３０８は、投出部の一例である。
【００７３】
収納繰出部３０５は、一時保留部３０４から放出される硬貨を受け入れて、金種別に収納すると共に、収納している硬貨を一枚ずつ繰り出すよう構成されている。収納繰出部３０５は、収納部の一例である。バラ硬貨処理ユニット３００は、収納繰出部３０５から繰り出した硬貨を、出金箱３０９に送ることができる。出金箱３０９は、詳細な図示は省略するが、バラ硬貨処理ユニット３００の前面から着脱可能に構成されている。操作者は、出金箱３０９をバラ硬貨処理ユニット３００から外すことにより、内容物（つまり、出金された硬貨）を取り出し可能である。
【００７４】
（貨幣処理装置の処理）
以下、貨幣処理装置１が行う処理について説明をする。制御部８は、図２に示すように、第一処理部８１と、第二処理部８２とを有している、第一処理部８１及び第二処理部８２はそれぞれ、所定の機能を実現する制御部８の機能ブロックである。
【００７５】
第一処理部８１は、貨幣処理装置１における処理を、第一処理モードで実行する。第一処理モードは、第一通貨としての日本円の貨幣を処理するモードである。第二処理部８２は、貨幣処理装置１における処理を、第二処理モードで実行する。第二処理モードは、第一通貨以外の第二の通貨としての外貨を処理するモードである。具体的に、貨幣処理装置１は、第二処理モードにおいて、外貨の計数を行うと共に、計数した外貨を、手許管理の貨幣として在高を管理する（つまり、記憶部５１に記憶する）。
【００７６】
図５を参照しながら、貨幣処理装置１の第一処理モードの一例として、バラ紙幣処理ユニット１００が行うバラ紙幣の入金処理について説明をする。図５の左図５０１は、バラ紙幣処理ユニット１００が日本円の紙幣の入金処理を行うときの、紙幣の搬送経路を示している。操作者は、入金部１０３に処理対象のバラ紙幣を投入する。操作者が処理開始の操作を行うと、同図に白抜きの矢印で示すように、入金部１０３の繰出機構１０３ａは、バラ紙幣を一枚ずつ繰り出す。搬送部１０７は、バラ紙幣を一枚ずつ搬送する。
【００７７】
入金識別部１０８は、紙幣の識別及び計数を行う。搬送部１０７は、入金識別部１０８がリジェクト紙幣と識別した紙幣を、同図に黒矢印で示すように、入金リジェクト搬送路１２０を通じて、入金リジェクト部１０４に搬送する。尚、第一処理モードにおいて外国紙幣は、リジェクト紙幣と識別されるため、入金リジェクト部１０４に搬送される。入金リジェクト部１０４は、リジェクト紙幣を集積する。搬送部１０７はまた、入金識別部１０８を通過したリジェクト紙幣以外の紙幣を、金種に対応する、一時保留部１１３に収納する（同図の白矢印参照）。
【００７８】
入金部１０３から紙幣が全て繰り出されると共に、計数結果に対して、操作者による承認操作が行われると、一時保留部１１３は、収納している紙幣を排出して収納部１１２に収納する。制御部８は、収納部１１２に収納した紙幣の計数結果を、収納部１１２の在高として、記憶部５１に記憶させる。こうして、貨幣処理装置１による、日本円のバラ紙幣の入金処理が終了する。
【００７９】
次に、貨幣処理装置１の第二処理モードの一例として、バラ紙幣処理ユニット１００が行う外国紙幣の計数処理について、図５の右図５０２を参照しながら説明をする。操作者は、前記と同様に、入金部１０３に処理対象のバラ紙幣を投入する。操作者が処理開始の操作を行うと、入金部１０３の繰出機構１０３ａは、バラ紙幣を一枚ずつ繰り出す。搬送部１０７は、バラ紙幣を一枚ずつ搬送する（同図の白抜きの矢印参照）。
【００８０】
入金識別部１０８は、紙幣の識別及び計数を行う。搬送部１０７は、入金識別部１０８が処理対象と識別した外国紙幣、及び、処理対象外と識別したリジェクト紙幣（日本円の紙幣を含む）の両方を、同図に白矢印で示すように、入金リジェクト搬送路１２０を通じて、入金リジェクト部１０４に搬送する。第二処理モードにおいて入金リジェクト部１０４は、全ての紙幣を集積する。貨幣処理装置１は、第二処理モードにおいて、貨幣を一時保留部１１３及び収納部１１２に収納しない。
【００８１】
入金部１０３から紙幣が全て繰り出されて、全ての紙幣が入金リジェクト部１０４に集積されると、制御部８は、紙幣の計数結果を、手許管理貨幣として記憶部５１に記憶させる。こうして、貨幣処理装置１による、外貨のバラ紙幣の計数処理が終了する。
【００８２】
このように、この貨幣処理装置１は、第一通貨と、第一通貨以外の通貨との複数の通貨を処理することができる。
【００８３】
貨幣処理装置１は、第一処理モードの時には、入金識別部１０８が日本円であると識別した貨幣（つまり、第一処理モードにおける処理対象の貨幣）を収納部１１２に収納すると共に、当該貨幣の情報を、収納部１１２の在高情報として記憶部５１が記憶する。貨幣処理装置１は、第一処理モードにおいて、日本円の貨幣を適切に管理することができる。
【００８４】
一方、貨幣処理装置１は、第二処理モードの時には、入金識別部１０８が処理対象の通貨であると識別した貨幣を、収納部１１２に収納しないで入金リジェクト部１０４に集積する。日本円以外の外貨を収納部１１２に収納しないため、収納部１１２に、異なる通貨を混合して収納してしまうことが回避される。貨幣処理装置１は、日本円以外の外国通貨を処理するが、収納部１１２に収納されている日本円の紙幣には影響が及ばない。
【００８５】
また、貨幣処理装置１は、通貨毎に分けて収納するための多数の収納部１１２を設ける必要がない。貨幣処理装置１の構成が複雑になったり、大型化したりすることが回避される。
【００８６】
貨幣処理装置１はまた、第二処理モードの時には、処理対象であると識別した貨幣の情報を、手許管理貨幣として記憶部５１が記憶する。貨幣処理装置１は、日本円以外の外貨も適切に管理することができる。貨幣処理装置１が記憶するため、操作者の手作業が不要であり、操作者の負担が軽減すると共に、操作者のミスの発生を抑制することができる。
【００８７】
ここで、第二処理モードの時に、貨幣処理装置１は、全ての貨幣を入金リジェクト部１０４に搬送する。入金リジェクト部１０４は、第一処理モードの時には、リジェクト紙幣を払い出す部分である。搬送エラーをできる限り抑制するために、入金リジェクト部１０４は、入金識別部１０８からの経路長が短くなるよう構成されている。図３に示すバラ紙幣処理ユニット１００において、入金識別部１０８から入金リジェクト部１０４までの経路長は、入金識別部１０８から出金リジェクト部１０６までの経路長、及び、入金識別部１０８から出金部１０５までの経路長よりも短い。
【００８８】
第二処理モードの時に、貨幣処理装置１は、貨幣を収納部１１２に収納しないため、貨幣の搬送経路を短くした方が、貨幣の詰まり等の搬送エラーを抑制する上で有利になる。前述の通り、第二処理モードの時に、全ての貨幣を入金リジェクト部１０４に搬送することにより、当該貨幣の搬送距離が短くなるから、搬送エラーを抑制することができる。また、貨幣処理装置１が、第二処理モードの処理に要する時間を短くすることが可能になる。
【００８９】
次に、図６〜１１に示す画面例Ｄ１〜Ｄ６を参照しながら、操作者が行う、第二処理モードの操作手順について説明をする。画面例Ｄ１〜Ｄ６は、貨幣処理装置１のターミナル部４に表示される画面である。
【００９０】
図６は、貨幣処理装置１のメインメニューの画面Ｄ１を例示している。操作者は、メインメニューに含まれている複数のボタンの中から、所望の処理を選択する。操作者が「外貨計数」のボタンを選択すると、貨幣処理装置１は、外貨計数処理（つまり、第二処理モード）を実行する。操作者が、例えば「入金」のボタンを選択すると、貨幣処理装置１は、日本円の貨幣の入金処理（つまり、第一処理モード）を実行する。ここでは、操作者が「外貨計数」を選択したとして、説明を続ける。
【００９１】
図７は、「外貨計数」を選択した後に、ターミナル部４に表示される外貨選択画面Ｄ２を例示している。ここで説明をする貨幣処理装置１は、外貨として、「米ドル」「ユーロ」「中国元」「韓国ウォン」の４つの外貨の処理を行うことができるよう構成されている。尚、貨幣処理装置１が処理可能な外貨の数は、４つに限らない。４つよりも多くてもよいし、４つよりも少なくてもよい。操作者は、所望の通貨を処理対象に設定することができる。
【００９２】
外貨選択画面Ｄ２は、第二処理モードにおいてのみターミナル部４に表示される画面であり、第一処理モードにおいて、外貨選択画面Ｄ２はターミナル部４に表示されない。ターミナル部４は、出力部の一例であり、ターミナル部４は、第一処理モードの処理情報と、第二処理モードの処理情報とを異なる態様で出力する。操作者は、第一処理モードと第二処理モードとを区別することができる。
【００９３】
操作者が外貨選択画面Ｄ２において処理対象の外貨を選択すると、ターミナル部４は、図８に例示する、貨幣の投入を指示する画面Ｄ３を表示する。当該画面Ｄ３は、入金処理（つまり、第一処理モード）においても、ターミナル部４に表示される。操作者は、指示に従って、外貨の紙幣及び／又は硬貨を、貨幣処理装置１に投入する。
【００９４】
図９は、第二処理モードにおいて、貨幣の計数中及び計数終了後に、ターミナル部４に表示される画面Ｄ４を例示している。計数中及び計数終了後の画面Ｄ４には、処理対象の外貨の種類が示されている。図９の例では、米ドルが処理対象である。また、画面Ｄ４には、米ドルの計数情報が、金種毎に、表示されている。
【００９５】
ここで、図１０は、第一処理モードの、例えば入金処理時に、貨幣の計数中及び計数終了後に、ターミナル部４に表示される画面Ｄ５を例示している。図９と図１０とを比較すると明らかなように、どちらの画面Ｄ９及びＤ１０においても、金種別に計数情報を表示する点は、同じである。一方、第一処理モードでは、計数対象の貨幣（つまり、日本円）の表示が省略されているのに対し、第二処理モードでは、計数対象の貨幣（つまり、米ドル）が表示されている。このように、第一処理モードと、第二処理モードとでは、貨幣処理装置１のターミナル部４に表示される画面の構成が相違する。操作者は、第一処理モードと第二処理モードとを区別することができる。
【００９６】
外貨の計数が終了すると、プリンタ５０は、計数明細の内訳が印字されたレシートを発行する。図１２は、第二処理モードにおいて発行されるレシートを例示している。プリンタ５０は、出力部の一例である。レシートには、外貨の種類（図例では米ドル）と、金種毎の計数結果とが記載されている。図示は省略するが、第一処理モードにおいて発行されるレシートには、通貨の種類は記載されない。このことにより、操作者は、第一処理モードと第二処理モードとを区別することができる。尚、第二処理モードにおいて発行されるレシートに、日本円への換算レートや、換算合計金額を印字してもよい。
【００９７】
前述したように、第二処理モードにおいて、紙幣は全て入金リジェクト部１０４に集積されている。レシートの発行後、入金リジェクト部１０４は、シャッターを開くと共に、ターミナル部４は、図１１に例示する画面Ｄ６を表示する。当該画面Ｄ６は、操作者に、入金リジェクト部１０４に集積している外貨の取り出しを促す画面である。操作者が、入金リジェクト部１０４に集積している外貨の取り出すことによって、外貨計数処理が完了する。
【００９８】
操作者は、入金リジェクト部１０４から取り出した貨幣を、金庫に収納したり、貨幣保管ユニット７００に収納したりする。このときに、操作者は、図１２に示すレシートを、貨幣と共に収納する。
【００９９】
尚、図７〜図９及び図１１に示されるように、第２処理モードにおける操作画面には「外貨計数」である旨を示す文言が表示されており、通常の日本円の処理中とは異なることが、操作者にわかりやすくなっている。また、第１処理モードと第２処理モードとで、操作画面の背景色や枠の色を異ならせることにより、表示態様を切替えてもよい。
【０１００】
外貨計数処理時には、前述の通り、処理を行った貨幣については、手許管理貨幣として、記憶部５１に計数結果が記憶される。貨幣処理装置１は、外貨を収納しないものの、外貨を、日本円の貨幣と同様に、管理することができる。尚、記憶部５１に手許管理貨幣として記憶している貨幣を、当該営業店舗から他店（本店等）に現送するときには、操作者は、貨幣処理装置１において、当該貨幣の情報を、手許管理貨幣から削除する（つまり、手許管理貨幣の在高を減算する）ことになる。
【０１０１】
尚、図５の右図５０２に示す構成例では、貨幣処理装置１は、第二処理モードにおいて、入金識別部１０８がリジェクト紙幣と識別した紙幣も、リジェクト紙幣以外の紙幣も全て、入金リジェクト部１０４に集積している。リジェクト紙幣が発生したときには、リジェクト紙幣とリジェクト紙幣以外の紙幣とを区別することができないため、操作者は、入金リジェクト部１０４に集積している紙幣を全て、再計数することになる。
【０１０２】
これとは異なり、図１３に例示するように、貨幣処理装置１は、第二処理モードにおいて、入金識別部１０８がリジェクト紙幣（例えば、汚損や搬送異常のために識別できなかった紙幣、選択された通貨以外の外国紙幣、日本円の紙幣、等）と識別した紙幣を、入金リジェクト搬送路１２０を通じて入金リジェクト部１０４に集積し（同図の黒矢印参照）、リジェクト紙幣以外の紙幣を、バイパス路１１９、第二搬送路１１７、及び、出金搬送路１２１を通じて出金部１０５に集積してもよい（同図の白抜きの矢印参照）。こうすることで、第二処理モードの時に、処理対象の通貨である貨幣と、処理対象外のリジェクト貨幣とを分けることができる。リジェクト紙幣が発生したときに、操作者は、入金リジェクト部１０４に集積されているリジェクト紙幣のみを取り出して目視確認し、必要に応じて再計数すればよい。
【０１０３】
次に、図１４を参照しながら、バラ硬貨処理ユニット３００が、第二処理モードとして実行する外国硬貨の計数処理について説明をする。
【０１０４】
前述したように、日本円の硬貨の入金処理を行うとき（つまり、第一処理モードの時）に、バラ硬貨処理ユニット３００は、入金繰出部３０１に投入された硬貨を、入金識別部３０２において識別した後、選別部３０３、及び、一時保留部３０４を経て、収納繰出部３０５に収納する。
【０１０５】
バラ硬貨処理ユニット３００は、第二処理モードの時に、入金繰出部３０１に投入された硬貨を、入金識別部３０２において識別する。入金識別部３０２の識別の結果、リジェクト硬貨（例えば、汚損や変形のために識別できなかった硬貨、選択された通貨以外の外国硬貨、日本円の硬貨、等）は、リジェクト選別部からリジェクト部３０６に送る（同図の黒矢印参照）。一方、バラ硬貨処理ユニット３００は、リジェクト硬貨以外の硬貨を、選別部３０３から一時保留部３０４に収納する。前述したように、ソレノイド等の電気的駆動手段により強制的に硬貨を分岐孔に落とし込むよう構成された５円選別部を利用して、外国硬貨を、選別部３０３から一時保留部３０４に収納してもよい。バラ硬貨処理ユニット３００は、入金繰出部３０１に投入された硬貨が全て繰り出されると、収納繰出部３０５に外国硬貨を収納しないで、一時保留部３０４から返却箱３０８に、外国硬貨を払い出す（同図の白抜きの矢印参照）。
【０１０６】
こうすることで、バラ硬貨処理ユニット３００においても、第二処理モードの時には、入金識別部３０２が処理対象の通貨であると識別した貨幣を返却箱３０８に送り、日本円以外の外貨を収納繰出部３０５に収納しないため、収納繰出部３０５に、異なる通貨を混合して収納してしまうことが回避される。貨幣処理装置１は、日本円以外の外国通貨を処理するが、収納繰出部３０５に収納されている日本円の紙幣には影響が及ばない。尚、バラ硬貨処理ユニット３００において第二処理モードに係る外貨計数処理を行ったときも、前述したように、記憶部５１は、外国硬貨の計数結果を、手許管理の貨幣として在高を記憶する。
【０１０７】
また、バラ硬貨処理ユニット３００が外国硬貨を計数するときに、処理対象の通貨である硬貨と、処理対象外のリジェクト硬貨とを分けることができる。
【０１０８】
尚、図示は省略するが、バラ硬貨処理ユニット３００は、入金繰出部３０１に投入された硬貨を全て、リジェクト選別部から、リジェクト部３０６に送るようにしてもよいし、入金繰出部３０１に投入された硬貨を全て、一時保留部３０４から返却箱３０８に送るようにしてもよい。
【０１０９】
尚、前記の構成では、貨幣処理装置１のターミナルに、図６〜１１に例示する画面Ｄ１〜Ｄ６を表示するようにしているが、これとは異なり、貨幣処理装置１に対して、直接的又は間接的に接続された携帯端末（タブレット端末やスマートフォン）に画面Ｄ１〜Ｄ６を表示してもよい。操作者は、携帯端末に表示された画面Ｄ１〜Ｄ６を通じて、貨幣処理装置１において処理を実行させるための操作等をしてもよい。
【符号の説明】
【０１１０】
１  貨幣処理装置
１０３  入金部（投入部）
１０４  入金リジェクト部（投出部、第一投出部）
１０５  出金部（投出部、第二投出部）
１０８  入金識別部（識別部）
１１２  収納部
３０１  入金繰出部（投入部）
３０２  入金識別部
３０５  収納繰出部（収納部）
３０６  リジェクト部（投出部、第一投出部）
３０８  返却箱（投出部、第二投出部）
４  ターミナル部（出力部）
５０  プリンタ（出力部）
５１  記憶部
【図１】
2019204140.tif 000003
【図２】
2019204140.tif 000004
【図３】
2019204140.tif 000005
【図４】
2019204140.tif 000006
【図５】
2019204140.tif 000007
【図６】
2019204140.tif 000008
【図７】
2019204140.tif 000009
【図８】
2019204140.tif 000010
【図９】
2019204140.tif 000011
【図１０】
2019204140.tif 000012
【図１１】
2019204140.tif 000013
【図１２】
2019204140.tif 000014
【図１３】
2019204140.tif 000015
【図１４】
2019204140.tif 000016